【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
映像データとテキストデータとが多重化されたテレビジョン放送を受信する受信手段と、
前記受信手段によって受信された映像データおよびテキストデータの画像を表示する表示手段と、
操作に応じて前記表示手段を収容している収容部を第１の変位状態又は第２の変位状態に設定させることを可能にする機構手段と、
前記収容部が前記第１の変位状態に設定された場合には、前記受信手段によって受信された映像データの画像を前記表示手段の一部の表示エリアに表示し、前記受信手段によって受信されたテキストデータの画像を他の表示エリアに表示する画像処理を行い、前記収容部が前記第２の変位状態に設定された場合には、前記受信手段によって受信された映像データの画像を前記表示手段に表示し、前記受信手段によって受信されたテキストデータの画像を映像データの画像に重畳して表示する画像処理を行う画像処理手段と、
を備えた端末装置。
【請求項２】
前記機構手段は、操作に応じて前記収容部と他の収容部とを開閉および回動可能に結合するヒンジ機構と、前記収容部と前記他の収容部とが開かれて回動されていない前記第１の変位状態、および、前記収容部と前記他の収容部とが開かれて回動された前記第２の変位状態を検出する変位センサとを有することを特徴とする請求項１に記載の端末装置。
【請求項３】
前記収容部が前記第１の変位状態に設定されている場合の表示画像の天地方向と、前記収容部が前記第２の変位状態に設定されている場合の表示画像の天地方向とが、互いに直交するように表示制御を行う表示制御手段をさらに備えたことを特徴とする請求項１に記載の端末装置。
【請求項４】
映像データとテキストデータとが多重化されたテレビジョン放送を受信する第１のステップと、
表示手段を収容している収容部が操作に応じて第１の変位状態又は第２の変位状態に設定されていることを検出する第２のステップと、
前記収容部が前記第１の変位状態に設定されたことが前記第２のステップによって検出された場合には、前記第１のステップによって受信された映像データの画像を前記表示手段の一部の表示エリアに表示し、前記第１のステップによって受信されたテキストデータの画像を他の表示エリアに表示する画像処理を行い、前記収容部が前記第２の変位状態に設定されたことが前記第２のステップによって検出された場合には、前記第１のステップによって受信された映像データの画像を前記表示手段の全部の表示エリアに表示し、前記第１のステップによって受信されたテキストデータの画像を映像データの画像に重畳して表示する画像処理を行う第３のステップと、
を実行するプログラム。
【手続補正２】
【補正対象書類名】明細書
【補正対象項目名】発明の名称
【補正方法】変更
【補正の内容】
【発明の名称】端末装置およびプログラム
【手続補正３】
【補正対象書類名】明細書
【補正対象項目名】０００１
【補正方法】変更
【補正の内容】
【０００１】
本発明は、端末装置およびプログラムに関し、特に、地上波ディジタル放送などのテレビジョン放送を受信するための端末装置およびプログラムに関するものである。
【手続補正４】
【補正対象書類名】明細書
【補正対象項目名】０００２
【補正方法】変更
【補正の内容】
【０００２】
近年、携帯電話などの端末装置において、電話やメールの送受信の機能のほかに、レンズを含む光学素子、ＣＣＤなどの撮像素子、画像メモリを内蔵したデジタルカメラの機能を新たに付加した製品が普及している。さらに、フレキシブル・プリント基板その他の配線技術の向上によって、電子部品やキースイッチなどを内蔵する本体と、表示部であるＬＣＤ（液晶ディスプレイ）を収容する収容部（蓋部）とがヒンジ部で結合され、本体とＬＣＤ収容部とを開閉する折り畳み型携帯電話が広く普及している。
ある提案の折り畳み型携帯電話においては、明細書および図２（ａ）〜（ｄ）に記載されているように、操作部を有する下側ユニット２０と、表示部１１を有する上側ユニット３０と、下側ユニットと上側ユニットとを開閉自在に結合するヒンジ部１３とを有する折り畳み型携帯電話機において、上側ユニットは、表示部ユニット３４と、支持部ユニット３４と、回転／スライド機構４０とを有する。表示部ユニットは表示部を配設する表示面３２ａを持つ。表示部ユニットに配置された一対の正面カメラ部１７ａ、１７ｂは、表示部が縦長状態にある場合には表示部の上下に位置し、表示部ユニットを回転／スライドすることによって表示部が横長状態となった場合には表示部の左右に位置する。
この構成により、表示装置を縦長、あるいは横長に自在に変化させて使用できるという効果、３Ｄ（３次元）画像処理を容易に行うことができるという効果、および、表示部ユニットの一対のカメラを、テレビ電話使用時には、電話相手先に応じて任意に選択して、左右の表情の違いを使い分けることができるという効果を奏すると記載されている。（特許文献１）
【特許文献１】特開２００３−３１９０４３号公報
【手続補正５】
【補正対象書類名】明細書
【補正対象項目名】０００３
【補正方法】変更
【補正の内容】
【０００３】
しかしながら、上記特許文献１においては、表示部ユニットの変位状態に応じて、一対のカメラで撮像された画像を構成する各画素に対して、表示面のどのコーナーから開始するかを設定するだけであり、表示画像の縦横のサイズが指定された画像に対して画像処理を行う構成にはなっていない。例えば、図２（ａ）に表示された画像と、図２（ｂ）および（ｃ）に表示された画像とは、同じ風景を撮像した画像にもかかわらず、表示画像の縦横のサイズは全く異なっている。
このため、２００３年１２月より一部の地域で放送が開始された地上波ディジタル放送を受信できるような携帯電話を製品化する場合には、表示部を縦長で使用する場合と横長で使用する場合とで、表示画像の縦横のサイズが異なるような表示は許されない。
本発明は、映像データの表示画像の縦横のサイズを一定にして、表示部を縦長で使用する場合でも横長で使用する場合でも、地上波ディジタル放送の画像を正常に表示するとともに、地上波ディジタル放送において映像データに多重化されたテキストデータの画像の表示を制御して、映像情報を主体として見るユーザにとっても、文字情報を主体として見るユーザにとっても、より見やすいテレビ画像を可能にする端末装置およびプログラムを提供することを目的とする。
【手続補正６】
【補正対象書類名】明細書
【補正対象項目名】０００４
【補正方法】変更
【補正の内容】
【０００４】
請求項１記載の端末装置は、映像データとテキストデータとが多重化されたテレビジョン放送を受信する受信手段(実施形態においては、図４のテレビ受像部に相当する)と、受信手段によって受信された映像データおよびテキストデータの画像を表示する表示手段(実施形態においては、図１ないし図４の表示部２１に相当する)と、操作に応じて表示手段を収容している収容部(実施形態においては、図１ないし図３の収容部２０に相当する)を第１の変位状態(実施形態においては、図１（Ａ）の変位状態に相当する)又は第２の変位状態(実施形態においては、図１（Ｂ）の変位状態に相当する)に設定させることを可能にする機構手段(実施形態においては、図１ないし図３のヒンジ部３０、図示しない変位センサを含む機構部に相当する)と、収容部が第１の変位状態に設定された場合には、受信手段によって受信された映像データの画像を表示手段の一部の表示エリアに表示し、受信手段によって受信されたテキストデータの画像を他の表示エリアに表示する画像処理を行い、収容部が第２の変位状態に設定された場合には、受信手段によって受信された映像データの画像を表示手段の全部の表示エリアに表示し、受信手段によって受信されたテキストデータの画像を映像データの画像に重畳して表示する画像処理を行う画像処理手段(実施形態においては、図４のＣＰＵ１に相当する)と、を備えた構成になっている。
【手続補正７】
【補正対象書類名】明細書
【補正対象項目名】０００５
【補正方法】変更
【補正の内容】
【０００５】
請求項１の端末装置において、請求項２に記載したように、機構手段は、操作に応じて収容部と他の収容部(実施形態においては、図１ないし図３の本体４０に相当する)とを開閉および回動可能に結合するヒンジ機構(実施形態においては、図１ないし図３のヒンジ部３０に相当する)と、収容部と他の収容部とが開かれて回動されていない第１の変位状態、および、収容部と他の収容部とが開かれて回動された第２の変位状態を検出する変位センサとを有するような構成にしてもよい。
請求項１の端末装置において、請求項３に記載したように、収容部が第１の変位状態に設定されている場合の表示画像の天地方向と、収容部が第２の変位状態に設定されている場合の表示画像の天地方向とが、互いに直交するように表示制御を行う表示制御手段(実施形態においては、図４のＣＰＵ１に相当する)をさらに備えた構成にしてもよい。
【手続補正８】
【補正対象書類名】明細書
【補正対象項目名】０００６
【補正方法】変更
【補正の内容】
【０００６】
請求項４に記載のプログラムは、映像データとテキストデータとが多重化されたテレビジョン放送を受信する第１のステップと、表示手段(実施形態においては、図１ないし図４の表示部２１に相当する)を収容している収容部(実施形態においては、図１ないし図３の収容部２０に相当する)が操作に応じて第１の変位状態又は第２の変位状態に設定されていることを検出する第２のステップと、収容部が第１の変位状態に設定されたことが第２のステップによって検出された場合には、第１のステップによって受信された映像データの画像を表示手段の一部の表示エリアに表示し、第１のステップによって受信されたテキストデータの画像を他の表示エリアに表示する画像処理を行い、収容部が第２の変位状態に設定されたことが第２のステップによって検出された場合には、第１のステップによって受信された映像データの画像を表示手段の全部の表示エリアに表示し、第１のステップによって受信されたテキストデータの画像を映像データの画像に重畳して表示する画像処理を行う第３のステップと、を実行する構成になっている。
なお、各ステップは、実施形態においては、図１のＣＰＵ１によって実行される処理に相当する。
【手続補正９】
【補正対象書類名】明細書
【補正対象項目名】０００７
【補正方法】変更
【補正の内容】
【０００７】
本発明の端末装置およびプログラムによれば、映像データに多重化されたテキストデータの画像の表示を制御して、映像情報を主体として見るユーザにとっても、文字情報を主体として見るユーザにとっても、より見やすいテレビ画像を可能にするという効果が得られる。
【手続補正１０】
【補正対象書類名】明細書
【補正対象項目名】０００８
【補正方法】変更
【補正の内容】
【０００８】
以下、本発明による端末装置の実施形態について、携帯電話を例に採って図１ないし図８を参照して説明する。
図１は、実施形態における携帯電話に地上波ディジタル放送の放送映像と文字情報が表示された状態を示す図である。この携帯電話は、表示部であるＬＣＤ（液晶ディスプレイ）を収容する収容部（蓋部）２０が、互いに直交する２軸構造のヒンジ部３０によって、ＣＰＵその他のＩＣなどの電子部品やキースイッチを収容する本体４０と結合されている。２軸構造のヒンジ部３０は、例えば、玩具やその他の分野で広く利用されている構造であり、携帯電話においても次第に利用されてきているが、特に新しい技術ではないので、詳細な説明は省略する。収容部２０と本体４０とは、ヒンジ部３０の一方の軸（図１（Ａ）のＸ軸）を中心に開閉できるとともに、他方の軸（図１（Ａ）のＹ軸）を中心に回動できる構造になっている。図１（Ａ）は、収容部２０が開かれて表示部２１が露出した状態である。図１（Ｂ）は、図１（Ａ）の状態から、収容部２０が回動され、表示部２１が露出した状態で、収容部２０が閉じられた状態を示している。
【手続補正１１】
【補正対象書類名】明細書
【補正対象項目名】００２３
【補正方法】変更
【補正の内容】
【００２３】
なお、上記実施形態における携帯電話は、ＲＯＭ２にあらかじめ記憶されているプログラムをＣＰＵ１が実行する構成にしたが、ＲＦブロック４を介して、外部のサーバからプログラムを受信して、書き換え可能なフラッシュメモリなどの不揮発性メモリにインストールして、それをＣＰＵ１が実行する構成も可能である。この場合には、プログラムの発明を実現することができる。
【手続補正１２】
【補正対象書類名】明細書
【補正対象項目名】００２５
【補正方法】変更
【補正の内容】
【００２５】
【図１】本発明の実施形態における携帯電話の変位状態と表示画面との関係を示す外観図。
【図２】図１の携帯電話の表示部を収容する収容部を本体から開く様子を示す図。
【図３】図１の携帯電話の収容部を開いた後に回動して表示部を露出して閉じる様子を示す図。
【図４】本発明の端末装置の実施例における携帯電話の構成を示すブロック図。
【図５】実施形態における携帯電話の動作を示すＣＰＵのメインルーチンのフローチャート。
【図６】図５に続くＣＰＵのメインルーチンのフローチャート。
【図７】図６に続くＣＰＵのメインルーチンのフローチャート。
【図８】ＣＰＵの着信検知のフローチャート。